(57)【特許請求の範囲】
【請求項１】
モータを含む搬送部と、
前記搬送部によって搬送されるシートを読み取る読取デバイスと、
前記搬送部及び前記読取デバイスを制御する制御部と
を備え、
前記制御部は、
平面状の回路基板と、
前記回路基板に設けられた制御ＩＣと、
前記回路基板の一方の面に沿って延び、その一方の面に対向する第一シールド板と、
前記回路基板の他方の面に沿って延び、その他方の面に対向する第二シールド板と、
前記第一シールド板の一端部と、前記第二シールド板の一端部との間の隙間の一部を塞ぎ他の一部を塞がない磁性体シートと
を備えたことを特徴とする原稿読取装置。
【請求項２】
前記回路基板は複数の辺を有し、
前記磁性体シートは、前記複数の辺の内、前記制御ＩＣに最も近い辺に対向する位置に配置されていることを特徴とする請求項１に記載の原稿読取装置。
【請求項３】
前記磁性体シートは、
第１磁性体シートと、前記第１磁性体シートに積層される第２磁性体シートとを有し、
一端部で前記第二シールド板を前記第１磁性体シートと前記第２磁性体シートとの間に挟んでいることを特徴とする請求項１又は２に記載の原稿読取装置。
【請求項４】
前記制御部を内蔵する筐体を備え、
前記磁性体シートの一端部が前記第二シールド板に固定され、
前記磁性体シートの前記一端部から延設される前記磁性体シートと前記筐体の内壁とに接触する弾性部材を備えたことを特徴とする請求項１から３の何れかに記載の原稿読取装置。
【請求項５】
前記第一シールド板は、前記第一シールド板の前記一端部から前記第二シールド板に近づく方向に延び、前記第二シールド板の前記一端部と所定距離離間する延出部分を備え、
前記隙間は、前記第一シールド板の前記延出部分と、前記第二シールド板の前記一端部との間に存在し、
前記磁性体シートは、弾性部材によって前記延出部分に押しつけられて、前記隙間を塞ぐことを特徴とする請求項１から４の何れかに記載の原稿読取装置。
【請求項６】
前記回路基板の外周に接続されるハーネスを備え、
前記磁性体シートは、前記磁性体シートから前記制御ＩＣに向かう方向において、前記ハーネスと重ならない位置に配置されていることを特徴とする請求項１から５の何れかに記載の原稿読取装置。
【請求項７】
前記ハーネスは、
前記読取デバイスに接続される第一ハーネスと、
前記搬送部に接続される第二ハーネスとを有し、
前記第一ハーネスと、前記第二ハーネスは、前記回路基板の辺の内、前記磁性体シートと対向する辺と異なる辺に沿って配置されていることを特徴とする請求項６に記載の原稿読取装置。
【請求項８】
搬送部によって搬送されるシートを読み取る読取デバイス及び前記搬送部を制御する制御ユニットであって、
平面状の回路基板と、
前記回路基板に設けられた制御ＩＣと、
前記回路基板の一方の面に沿って延び、その一方の面に対向する第一シールド板と、
前記回路基板の他方の面に沿って延び、その他方の面に対向する第二シールド板と、
前記第一シールド板の一端部と、前記第二シールド板の一端部との間の隙間の一部を塞ぎ他の一部を塞がない磁性体シートと
を備えたことを特徴とする制御ユニット。
【発明の詳細な説明】
【技術分野】
【０００１】
本発明は、シートを読み取る原稿読取装置及び制御ユニットに関する。
【背景技術】
【０００２】
積層された複数のシートの内の１枚のシートを分離し、分離された１枚のシートを搬送して、シートに記載された原稿を読み取る原稿読取装置が知られている。この原稿読取装置では、例えば、回路基板の制御ＩＣから電磁ノイズが外部へ放出されることを防ぐために、金属板で回路基板をシールドする場合がある。なお、電磁波の外部への放出を抑制する技術として、特許文献１には、電子回路が設けられた回路基板を受け具で受け、受け具を蓋で覆い、且つ、受け具及び蓋の内壁には、各々、低透磁性材料を用いたシールド材が塗布される電装部が開示されている。この電装部では、回路基板が隙間無くシールド材で覆われている。
【先行技術文献】
【特許文献】
【０００３】
【特許文献１】特開２００５−１０６４４２号公報
【発明の概要】
【発明が解決しようとする課題】
【０００４】
原稿読取装置の回路基板には、他の基板やモータへ接続するハーネスコネクタやＵＳＢ（Ｕｎｉｖｅｒｓａｌ  Ｓｅｒｉａｌ  Ｂｕｓ）（登録商標）、ＬＡＮ等のインターフェースのコネクタが設けられている。従って、特許文献１に記載の電装部のように、隙間無く、回路基板をシールド材で覆うことは困難であるという問題がある。また、この原稿読取装置では、回路基板の制御ＩＣを駆動するクロック信号の高速化に伴い、例えば、１Ｇｈｚ付近の高周波帯域での電磁ノイズを生じる電磁波の外部への放出が懸念されている。
【０００５】
本発明の目的は、電磁ノイズを生じる電磁波の外部への放出を抑制可能な原稿読取装置及び制御ユニットを提供することである。
【課題を解決するための手段】
【０００６】
本発明の一態様に係る原稿読取装置は、モータを含む搬送部と、前記搬送部によって搬送されるシートを読み取る読取デバイスと、前記搬送部及び前記読取デバイスを制御する制御部とを備え、前記制御部は、平面状の回路基板と、前記回路基板に設けられた制御ＩＣと、前記回路基板の一方の面に沿って延び、その一方の面に対向する第一シールド板と、前記回路基板の他方の面に沿って延び、その他方の面に対向する第二シールド板と、前記第一シールド板の一端部と、前記第二シールド板の一端部との間の隙間の一部を塞ぎ他の一部を塞がない磁性体シートとを備える。
【０００７】
本態様の原稿読取装置によれば、回路基板に設けられた制御ＩＣから生じる電磁波は、第一シールド板の一端部と第二シールド板の一端部との間の隙間を一部において塞ぐ磁性体シートにより、外部への放出が抑制される。
【０００８】
本態様の原稿読取装置において、前記回路基板は複数の辺を有し、前記磁性体シートは、前記複数の辺の内、前記制御ＩＣに最も近い辺に対向する位置に配置されもよい。この場合の原稿読取装置は、制御ＩＣにより近い位置で磁性体シートにより電磁波を抑制することができる。
【０００９】
本態様の原稿読取装置において、前記磁性体シートは、第１磁性体シートと、前記第１磁性体シートに積層される第２磁性体シートとを有し、一端部で前記第二シールド板を前記第１磁性体シートと前記第２磁性体シートとの間に挟んでもよい。この場合の原稿読取装置は、隙間を第１磁性体シートと第２磁性体シートとが積層された状態で塞ぐので、電磁波の抑制性能が向上する。磁性体シートは、一端部で前記第二シールド板を挟んでいるので、第二シールド板から外れにくい。
【００１０】
本態様の原稿読取装置において、前記制御部を内蔵する筐体を備え、前記磁性体シートの一端部が前記第二シールド板に固定され、前記磁性体シートの前記一端部から延設される前記磁性体シートと前記筐体の内壁とに接触する弾性部材を備える。この場合の原稿読取装置は、弾性部材により磁性体シートを第一シールド板の一端部と第二シールド板の一端部との間の隙間に押しつけて塞ぐことが出来る。弾性部材が第一シールド板に固定されていないので、容易に第一シールド板を取り外すことができる。
【００１１】
本態様の原稿読取装置は、前記第一シールド板は、前記第一シールド板の前記一端部から前記第二シールド板に近づく方向に延び、前記第二シールド板の前記一端部と所定距離離間する延出部分を備え、前記隙間は、前記第一シールド板の前記延出部分と、前記第二シールド板の前記一端部との間に存在し、前記磁性体シートは、弾性部材によって前記延出部分に押しつけられて、前記隙間を塞いでもよい。この場合の原稿読取装置は、弾性部材により磁性体シートを延出部分に押しつけて、隙間を塞ぐことが出来る。
【００１２】
本態様の原稿読取装置において、前記回路基板の外周に接続されるハーネスを備え、前記磁性体シートは、前記磁性体シートから前記制御ＩＣに向かう方向において、前記ハーネスと重ならない位置に配置されていてもよい。この場合の原稿読取装置は、ハーネスの設けられない位置に出来る隙間を磁性体シートが塞ぐことが出来る。
【００１３】
本態様の原稿読取装置において、前記ハーネスは、前記読取デバイスに接続される第一ハーネスと、前記搬送部に接続される第二ハーネスとを有し、前記第一ハーネスと、前記第二ハーネスは、前記回路基板の辺の内、前記磁性体シートと対向する辺と異なる辺に沿って配置されていてもよい。この場合の原稿読取装置は、ハーネスの設けられない辺に対向して磁性体シートが設けられ、異なる辺には、読取デバイスへのハーネスと、搬送部へのハーネスとが設けられているので、これらにより、電磁波の放出を抑制することができる。
【００１４】
本発明の第二態様の制御ユニットは、搬送部によって搬送されるシートを読み取る読取デバイス及び前記搬送部を制御する制御ユニットであって、平面状の回路基板と、前記回路基板に設けられた制御ＩＣと、前記回路基板の一方の面に沿って延び、その一方の面に対向する第一シールド板と、前記回路基板の他方の面に沿って延び、その他方の面に対向する第二シールド板と、前記第一シールド板の一端部と、前記第二シールド板の一端部との間の隙間の一部を塞ぎ他の一部を塞がない磁性体シートとを備える。この制御ユニットでは、回路基板に設けられた制御ＩＣから生じる電磁波は、第一シールド板の一端部と第二シールド板の一端部との間の隙間を一部において塞ぐ磁性体シートにより、電磁ノイズを生じる電磁波の制御ユニットの外部への放出を抑制することができる。
【図面の簡単な説明】
【００１５】
【図１】原稿読取装置１の全体構成を示す断面図である。
【図２】排紙トレイ１８を取り外した原稿読取装置１の底面図である。
【図３】制御部２の底面図である。
【図４】回路基板５の平面図である。
【図５】制御部２の背面図である。
【図６】第一シールド板２１の底面図である。
【図７】第一シールド板２１の正面図である。
【図８】第二シールド板３１の平面図である。
【図９】第二シールド板３１の背面図である。
【図１０】制御部２の正面図である。
【図１１】制御部２の右側面図である。
【図１２】制御部２の左側面図である。
【図１３】磁性体シート７０の展開図である。
【図１４】第二シールド板３１への磁性体シート７０の貼り付け状態を示す制御部２と第１筐体との部分断面図である。
【図１５】原稿読取装置１の電気的構成を示すブロック図である。
【発明を実施するための形態】
【００１６】
本発明の実施形態について、図面を参照して説明する。図１を参照して、原稿読取装置１の概略構成について説明する。図１の上側、下側、左側、右側、表側、及び裏側を、各々原稿読取装置１の上側、下側、前側、後ろ側、右側、及び左側とする。以下の説明では、原稿読取装置１の構成要素の回転方向を説明する場合、原稿読取装置１を右側から見た場合の回転方向を記載する。
【００１７】
［１．原稿読取装置１の物理的構成］
図１に示すように、原稿読取装置１は、シート状の原稿を搬送する機能を備え、搬送される原稿の両面を読み取り可能に構成されたシートフィードスキャナである。原稿読取装置１は、筐体１０、給紙トレイ１６、及び排紙トレイ１８を備える。
【００１８】
筐体１０は、搬送方向に沿ってシートが搬送される搬送領域２０を内部に定義する。筐体１０は、第１筐体１１及び第２筐体１２を有する。第１筐体１１及び第２筐体１２の各々の形状は、箱状である。第１筐体１１は、筐体１０の下部を形成する。第２筐体１２は、第１筐体１１に対して上側から重なり、筐体１０の上部を形成する。搬送領域２０は、第１筐体１１と第２筐体１２との上下方向における間に形成される。搬送領域２０は、原稿読取装置１が原稿を搬送して画像を読み取る過程で、原稿が通過する領域に対応する。搬送領域２０は、給紙口１０Ａ及び排紙口１０Ｂによって筐体１０の外側と繋がる。搬送領域２０は、第１筐体１１の上面１１Ａと、第２筐体１２の下面１２Ａとの間に定義される。換言すれば、原稿は、上面１１Ａと下面１２Ａとの間を通って、給紙口１０Ａから排紙口１０Ｂまで搬送される。なお、第２筐体１２は、排紙口１０Ｂの近傍において左右方向に延びる軸線を中心として、第１筐体１１に対して回動可能（即ち、開閉可能）に接続される。
【００１９】
搬送方向は、概して、斜め上下方向（即ち、前方斜め下方向及び後方斜め上方向）に対応する。ただし、搬送方向は、搬送領域２０に沿った方向であるため、直線方向として定義されなくてもよい。即ち、搬送方向は、搬送領域２０における位置に応じて、前後、上下、左右方向に対する向きの関係が変化してもよい。搬送方向のうち、搬送領域２０における給紙口１０Ａに向かう方向を「上流」という。搬送方向のうち、搬送領域２０における排紙口１０Ｂに向かう方向を「下流」という。図１に示すように、左右方向と直交する平面において、搬送方向と直交する方向の内、搬送領域２０から第１筐体１１に向かう方向を「第１方向」という。第１方向は、第１筐体１１の上面１１Ａに直交する方向の内、第２筐体１２から第１筐体１１に向かう方向と、略一致する。搬送方向と直交する方向の内、搬送領域２０から第２筐体１２に向かう方向を「第２方向」という。第２方向は、図１に示すように第２筐体１２を第１筐体１１に対して閉じた状態において、第２筐体１２の下面１２Ａに直交する方向の内、第１筐体１１から第２筐体１２に向かう方向と、略一致する。
【００２０】
給紙トレイ１６は、第１筐体１１のうち給紙口１０Ａの後ろ側から、後方斜め上向きに延びる。給紙トレイ１６は、略板形状である。給紙トレイ１６の上側の面に、１以上の原稿が載せられる。本例の原稿は、Ａ４サイズ、レターサイズ等の薄紙又は厚紙である。以下の説明では、原稿をシートと記載する。
【００２１】
排紙トレイ１８は、第１筐体１１の下部に収納可能である。排紙トレイ１８は、図１に示す収納された状態から前方に引き出され、伸長した状態で利用される。排紙トレイ１４が第１筐体１１の下部から引き出された場合、排紙トレイ１４は、第１筐体１１のうち排紙口１０Ｂの下側から、前向きに延びる。排紙トレイ１８は、略板形状である。排紙トレイ１８の上側の面は、排紙口１０Ｂから筐体１０の外部に排出されるシートを受ける。
【００２２】
図１及び図２に示すように、第１筐体１１は、給紙ローラ４１、搬送ローラ９１、第１読取部９３、及び搬送ローラ９２を備える。給紙ローラ４１、搬送ローラ９１、第１読取部９３、及び搬送ローラ９２は各々、搬送領域２０に沿って搬送方向上流から下流に順番に並ぶ。給紙ローラ４１、搬送ローラ９１、及び搬送ローラ９２の上面は各々、第１筐体１１の上面１１Ａよりも上側（第２方向）に突出する。
【００２３】
給紙ローラ４１は、搬送方向と交差する軸方向に沿って延びる軸４２を中心として回転する。本例において、軸方向は、左右方向に一致する。給紙ローラ４１は、搬送領域２０に少なくとも一部が露出する。給紙ローラ４１は円柱状である。給紙ローラ４１の外周面に、左右方向に沿って延びる直線状の凹部が複数設けられる。軸４２は、第１筐体１１に回転可能に支持される。軸４２は、後述する第１モータ７３（図１５参照）の回転に応じて回転する。給紙ローラ４１は、軸４２の回転に応じて、反時計回りに回転する。給紙ローラ４１の一部（例えば、給紙ローラ４１の上端に位置する外周部分）は、搬送領域２０に向けて突出する。給紙ローラ４１と軸４２との間には、ワンウェイクラッチ（図示略）が設けられる。このワンウェイクラッチは、給紙ローラ４１が軸４２に対して反時計回りに空転することを許容する。
【００２４】
搬送ローラ９１、９２は、シートに当接して回転することで、シートを搬送領域２０に沿って、搬送方向に搬送可能である。搬送ローラ９１、９２は円柱状である。搬送ローラ９１、９２の軸線は各々、左右方向に延びる。搬送ローラ９１、９２は同一形状である。軸部材９１Ａは搬送ローラ９１の軸線に沿って延びる。軸部材９２Ａは搬送ローラ９２の軸線に沿って延びる。軸部材９１Ａ、９２Ａは各々、第１筐体１１に回転可能に支持される。軸部材９１Ａ、９２Ａは各々、第２モータ７４の回転に応じて回転する。搬送ローラ９１は、軸部材９１Ａの回転に応じて、反時計回りに回転する。搬送ローラ９２は、軸部材９２Ａの回転に応じて、反時計回りに回転する。搬送ローラ９１、９２の一部（例えば、搬送ローラ９１、９２の上端に位置する外周部分）は、搬送領域２０に向けて突出する。
【００２５】
第１読取部９３は、搬送領域２０において搬送ローラ９１よりも搬送方向の下流に配置される。第１読取部９３は、シートの画像をシートの下側から読み取り、読み取った画像を表す画像データを生成可能である。第１読取部９３は、搬送方向において搬送ローラ９１、９２の間に設けられる。第１読取部９３は、左右方向を主走査方向とする。第１読取部９３は、制御部２からの指示に応じて、読み取った画像を表す画像データを、制御部２に出力する。
【００２６】
図１に示すように、第２筐体１２は、リバースローラ４６、従動ローラ９５、第２読取部９４、及び従動ローラ９６を備える。リバースローラ４６、従動ローラ９５、第２読取部９４、及び従動ローラ９６は各々、搬送領域２０に沿って搬送方向上流から下流に順番に並ぶ。リバースローラ４６、従動ローラ９５、第２読取部９４、及び従動ローラ９６の下面は各々、第２筐体１２の下面１２Ａよりも下側（第１方向）に突出する。
【００２７】
リバースローラ４６は、搬送領域２０内で給紙ローラ４１と接触する。リバースローラ４６は、給紙ローラ４１に対して上側（第２方向）に配置される。リバースローラ４６は円柱状である。リバースローラ４６の直径は、給紙ローラ４１の直径よりも小さい。リバースローラ４６の軸線は左右方向に延びる。軸部材４７は、リバースローラ４６の軸線に沿って延びる。軸部材４７は、ホルダ８０に回転可能に支持される。軸部材４７は、後述する第２モータ７４の回転に応じて回転する。リバースローラ４６は、図示しないワンウェイクラッチを介して軸部材４７に接続される。リバースローラ４６は、軸部材４７から、反時計回りの駆動力を受ける。ワンウェイクラッチの空転トルクは、シートとリバースローラ４６との間の摩擦力、及び給紙ローラ４１とリバースローラ４６との間の摩擦力によって空転する値に設定されている。
【００２８】
一方、ワンウェイクラッチの空転トルクは、シート同士の間の摩擦力によっては空転しない値に設定されている。このため、給紙ローラ４１とリバースローラ４６との間にシートが存在しない場合、又は給紙ローラ４１とリバースローラ４６との間にシートが１枚だけ存在する場合、リバースローラ４６は、軸部材４７から受ける駆動力に逆らって、時計回りに回転する。一方、給紙ローラ４１とリバースローラ４６との間にシートが２枚以上存在する場合、リバースローラ４６は、軸部材４７から受ける駆動力に応じて、反時計回りに回転する。リバースローラ４６の一部（例えば、リバースローラ４６の下端に位置する外周部分）は、搬送領域２０に向けて突出する。
【００２９】
図１に示すように、従動ローラ９５、９６は円柱状である。従動ローラ９５は、原稿が搬送されていない場合、搬送ローラ９１の上側に接触する。従動ローラ９６は、原稿が搬送されていない場合、搬送ローラ９２の上側に接触する。従動ローラ９５、９６の軸線は、左右方向に延びる。従動ローラ９５、９６は同一形状を有する。従動ローラ９５、９６が固定される各々の軸部材は、第２筐体１２に回転可能に支持される。従動ローラ９５は、バネ９７によって、搬送ローラ９１に向けて付勢される。従動ローラ９６は、バネ９８によって、搬送ローラ９２に向けて付勢される。従動ローラ９５、９６の一部（例えば、従動ローラ９５、９６の下端に位置する外周部分）は、搬送領域２０に向けて突出する。
【００３０】
第２読取部９４は、搬送領域２０において搬送ローラ９１よりも搬送方向の下流に配置される。第２読取部９４は、シートの画像をシートの上側から読み取り、読み取った画像を表す画像データを生成可能である。第２読取部９４は、搬送方向において従動ローラ９５、９６の間に設けられる。第２読取部９４は、左右方向を主走査方向とする。第２読取部９４は、制御部２からの指示に応じて、読み取った画像を表す画像データを、制御部２に出力する。図１５に示すように、第１読取部９３は、ＣＩＳ（Ｃｏｎｔａｃｔ  Ｉｍａｇｅ  Ｓｅｎｓｏｒ）９３Ａ及びＡＦＥ（Ａｎａｌｏｇ  Ｆｒｏｎｔ  Ｅｎｄ）９３Ｂを備える。第２読取部９４は、ＣＩＳ９４Ａ及びＡＦＥ９４Ｂを備える。ＣＩＳ９３Ａ、９４Ａは、原稿の画像を読み取り、アナログの画像信号を生成する。ＡＦＥ９３Ｂ，９４Ｂは各々、ＣＩＳ９３Ａ、９４Ａからの画像信号を、デジタルの画像データに変換する。
【００３１】
［２．原稿読取装置１の電気的構成］
図１５を参照し、原稿読取装置１の電気的構成について説明する。図１５に示すように、原稿読取装置１は、電気的構成として、操作部２４、ＬＡＮポート３２、ＵＳＢ（Ｕｎｉｖｅｒｓａｌ  Ｓｅｒｉａｌ  Ｂｕｓ）ポート３３、制御部２、第１モータ７３、第２モータ７４、第１読取部９３、及び第２読取部９４を備える。操作部２４は、第２筐体１２の上面に設けられる。操作部２４は、電源ボタン及びスタートボタンを含む複数の操作ボタンを含む。操作部２４は、さらに、液晶パネルと、液晶パネルに重ねられたタッチパネルとを含んでもよい。使用者は操作部２４を介して各種指示を入力可能である。ＵＳＢポート３３は、原稿読取装置１とＰＣ等の外部装置をＵＳＢ規格に適合したインターフェースで接続するためのポートである。
【００３２】
制御部２は、第１モータ７３、第２モータ７４、第１読取部９３及び第２読取部９４を制御可能である。制御部２は、ＡＳＩＣ５７、ＬＡＮコントローラ５８を備える。ＡＳＩＣ５７は、原稿読取装置１全体の制御を司る。制御部２は、図示しないが、ＡＳＩＣ５７からの指示に応じて、第１モータ７３、第２モータ７４に対して駆動信号（例えば、駆動電流）を送信する所定の電気回路等を備える。ＡＳＩＣ５７は、内部にＣＰＵは、ＲＡＭ、ＲＯＭ等を備える。
【００３３】
［３．制御部２の機械的構造］
図２〜図１２を参照し、原稿読取装置１の制御部２の機械的構造を説明する。制御部２は、箱状に形成された回路基板ボックスである。制御部２の内部には回路基板５が設けられている。さらに、制御部２は、回路基板５を挟んで、第一シールド板２１及び第二シールド板３１により筐体が形成される。図３及び図４に示すように、回路基板５は、平面視、平面状の横長の矩形のプリント基板である。回路基板５は、前辺５５、右辺５３、左辺５４、及び後辺５６を備える。図４に示すように、回路基板５の上面５２には、ＡＳＩＣ５７とＬＡＮコントローラ５８が設けられている。ＡＳＩＣ５７は、原稿読取装置１の動作制御及び画像処理等を行う制御ＩＣである。ＬＡＮコントローラ５８は、ＬＡＮの通信を制御する。ＡＳＩＣ５７は、回路基板５の前辺５５寄り、且つ、右辺５３寄りに設けられている。回路基板５は、図示しないが、ＡＳＩＣ５７からの指示に応じて、第１モータ７３、第２モータ７４に対して駆動信号（例えば、駆動電流）を送信する所定の電気回路等を備える。なお、図２に示すように、制御部２を底面側から見た場合には、図４に示す回路基板５は、上面５２と反対側の底面側が原稿読取装置１の底面側になる。この状態で、後述する磁性体シート７０は、ＡＳＩＣ５７に最も近い回路基板５の前辺５５に対応する位置に配置されている。
【００３４】
また、図２に示すように、回路基板５の下面の外周には、後述するハーネス５３１Ａ〜５５５Ａが接続されている。回路基板５の外周とは、回路基板５の中心よりも何れかの辺に近い領域をいう。図３に示すように、一例として、回路基板５の前辺５５側には、コネクタ５５１、コネクタ５５２、コネクタ５５３、コネクタ５５４及びコネクタ５５５が設けられている。右辺５３側には、コネクタ５３１及びコネクタ５３２が設けられている。左辺５４側には、コネクタ５４１、コネクタ５４２、コネクタ５４３及びコネクタ５４４が設けられている。図５に示すように、後辺５６側には、ＬＡＮポート３２、ＵＳＢポート３３、及びＡＣアダプタのジャック３５が設けられている。ＬＡＮポート３２は、原稿読取装置１をＬＡＮに接続されているＰＣ（パーソナルコンピュータ）等の外部装置との間で、ＬＡＮを経由した有線通信を行うためのポートである。ＵＳＢポート３３は、原稿読取装置１に接続されているＰＣ（パーソナルコンピュータ）等の外部装置との間でＵＳＢの規格により通信を行うためのポートである。
【００３５】
図２及び図３に示すように、コネクタ５５１には、筐体の開閉状態を検知するカバーセンサ（非図示）からのハーネス５５１Ａが接続される。コネクタ５５２には、給紙トレイ１６に載置されたシートを検知するフロントセンサからのハーネス５５２Ａと、搬送中のシート位置を検知するリアセンサからのハーネス５５２Ｂが接続される。コネクタ５５３には、シートの重送を検知する超音波センサからのハーネス５５３Ａが接続される。コネクタ５５４には、センサ駆動用のハーネス５５４Ａが接続される。コネクタ５５５には、シートのジャムを検知するジャムセンサからのハーネス５５５Ａが接続される。コネクタ５３１には、第１読取部９３からのハーネス５３１Ａが接続される。コネクタ５３２には、ＵＳＢメモリを接続可能なＵＳＢコネクタ基板（非図示）からのハーネス５３２Ａが接続される。コネクタ５４１には、第２読取部９４からのハーネス５４１Ａが接続される。コネクタ５４２には、操作部２４に含まれる液晶パネルからのハーネス５４２Ａが接続される。コネクタ５４３には、第１モータ７３からのハーネス５４３Ａが接続される。コネクタ５４４には、第２モータ７４からのハーネス５４４Ａが接続される。即ち、第１読取部９３に接続されるハーネス５３１Ａと、第２読取部９４に接続されるハーネス５４１Ａと、第１モータ７３からのハーネス５４３Ａと、第２モータ７４からのハーネス５４４Ａと、ＵＳＢコネクタ基板からのハーネス５３２Ａとが、回路基板５の辺の内、後述する磁性体シート７０と対向する前辺５５と異なる辺である右辺５３及び左辺５４に設けられている。
【００３６】
［４．第一シールド板２１の構造］
図６に示すように、第一シールド板２１は、平面視、横長の略矩形である平面部２１０を備える。平面部２１０は、前端部２２０、後端部２３０、右端部２４０及び左端部２５０を備える。また、第一シールド板２１は、電磁波を遮断する金属の板材により構成されている。第一シールド板２１の材質の一例は、鉄である。図７に示すように、前端部２２０の右側には、平面部２１０と直交する上方（制御部２の組み立て後の第二シールド板３１に向かう方向）に延設された延出部分２２２が設けられている。延出部分２２２は、正面視、横長の矩形である。前端部２２０の右側には、後端部２３０側に凹んだ凹み２２１が設けられている。凹み２２１は、ハーネス５５２Ａ〜５５５Ａを避けるための凹みである。右端部２４０の前端部２２０の側には、上方に支持壁２４１が設けられ、支持壁２４１の上端部右方に突出した固定部２４２が設けられている。固定部２４２には、ねじの貫通孔が設けられている。図１１に示すように、支持壁２４１の後方は、開放されている。左端部２５０の前端部２２０の側の角には、上方に支持壁２５１が設けられ、支持壁２５１の上端部には、斜め左方に突出した固定部２５２が設けられている。固定部２５２には、ねじの貫通孔が設けられている。図１２に示すように、支持壁２５１の後方は、開放されている。また、左端部２５０は、右方に向けて凹み２５３が設けられている。凹み２５３は、ハーネス５４２Ａを避けるための凹みである。後端部２３０には、第二シールド板３１の折り曲げ部３３２に係合する係合部２３１，２３２が設けられている。
【００３７】
［５．第二シールド板３１の構造］
図８に示すように、第二シールド板３１は、平面視、横長の略矩形である平面部３１０を備える。平面部３１０は、前端部３２０、後端部３３０、右端部３４０及び左端部３５０を備える。また、第二シールド板３１は、電磁波を遮断する金属の板材により構成されている。第二シールド板３１の材質の一例は、鉄である。前端部３２０の右左の端部には、固定部３２１，３２２が設けられている。固定部３２１，３２２には、各々ねじ孔が設けられている。右端部３４０には、固定部３４１，３４２が設けられている。固定部３４１，３４２には、各々ねじの貫通孔が設けられている。左端部３５０には、固定部３５１，３５２が設けられている。固定部３５１，３５２には、各々ねじの貫通孔が設けられている。後端部３３０の右端には、固定部３３８が設けられている。固定部３３８には、ねじ孔が設けられている。後端部３３０側の中央には、固定部３１１が設けられ、後端部３３０側の左端には、固定部３１２が設けられている。固定部３１１，３１２には、各々、ねじ孔が設けられている。
【００３８】
後端部３３０には、平面部３１０と直交する下方（制御部２の組み立て後の第一シールド板２１に向かう方向）に延設された後部パネル３３１（図９参照）が設けられている。図９に示すように、後部パネル３３１は、横長の略矩形であり、略矩形の開口部３３３，開口部３３４，開口部３３６、及びセキュリティホール３３７を備える。図５に示すように、開口部３３３はＬＡＮポート３２用である。開口部３３４はＵＳＢポート３３用である。開口部３３６はＡＣアダプタのジャック３５用である。セキュリティホール３３７は、盗難防止用のワイヤーロック用である。図８に示すように、後部パネル３３１の上端部には、平面部３１０と平行に前方向に延設される折り曲げ部３３２が設けられる。折り曲げ部３３２は、横長の略矩形である。
【００３９】
［６．制御部２の組み立て］
制御部２の組み立て時には、第一シールド板２１と第二シールド板３１との間に、回路基板５が収納される。回路基板５は、固定部３１１，３１２，３３８，３２１，３２２に載置される。回路基板５は、ねじ２４５により固定部３１２に（図１２参照）、ねじ２４６により固定部３３８に（図１１参照）、図示外のねじにより固定部３１１に、それぞれ固定される。折り曲げ部３３２には、第一シールド板２１の係合部２３１，２３２が係合する。第二シールド板３１の固定部３２１，３２２と、第一シールド板２１の固定部２４２，２４２との間には、回路基板５が挟まり、ねじ２４３，２４４により各々ねじ止めされる。
【００４０】
［７．制御部２の前面及び側面の構造］
図１０に示すように、制御部２の前面の第一シールド板２１の延出部分２２２と、第二シールド板３１との隙間２２３の一部は、後述する磁性体シート７０が塞ぎ、残りの部分は、磁性体シート７０が塞がない。制御部２の前面の延出部分２２２以外の部分は、解放されており、コネクタ５５１、コネクタ５５２、コネクタ５５３、コネクタ５５４及びコネクタ５５５が露出する。図１１に示すように、制御部２の右側面は、解放されており、コネクタ５３１，５３２が露出する。図１２に示すように、制御部２の左側面は、解放されており、コネクタ５４１，５４２，５４３，５４４が露出する。
【００４１】
［８．磁性体シート７０の構造］
次に、図１３及び図１４を参照して、磁性体シート７０の構造及び固定方法について説明する。磁性体シート７０は、磁性材料（例えば、フェライト粒子）と樹脂からなる電磁シールド材のシートである。磁性体シート７０は、例えば、広帯域な周波数範囲にわたり電子機器からの放射ノイズを抑制するために用いられる。磁性体シート７０は、柔軟で可撓性に優れている。図１３に示すように磁性体シート７０は、一例として、平面視、長方形のシートであり、一方の面に粘着剤が塗布されている。磁性体シート７０の長手方向において、中央線７５より半分を第１磁性体シート７１といい、残りの半分を第２磁性体シート７２という。第１磁性体シート７１は、積層部７１Ａと貼り付け部７１Ｂを備える。第２磁性体シート７２は、積層部７２Ａと貼り付け部７２Ｂを備える。図１４に示すように、積層部７１Ａと積層部７２Ａとは、粘着剤が塗布された面を互いに内側にして貼り合わせられる。従って、積層部７１Ａと積層部７２Ａとは、積層される。また、第二シールド板３１の上面に貼り付け部７１Ｂが貼り付けられ、第二シールド板３１の下面に貼り付け部７２Ｂが貼り付けられる。即ち、第二シールド板３１を貼り付け部７１Ｂと貼り付け部７２Ｂとの間に挟む。
【００４２】
図２及び図１４に示す、磁性体シート７０の積層部７１Ａと積層部７２Ａの外側は、粘着剤が塗布されていない。磁性体シート７０の積層部７１Ａと積層部７２Ａによる積層部分は、弾性部材９０の一面９０Ａにより、第一シールド板２１の延出部分２２２に押圧される。弾性部材９０の他面９０Ｂは、第１筐体１１の内壁１１Ｂに接触している。弾性部材９０は、一例として、直方体のスポンジ又はゴム等で形成される。弾性部材９０は、内壁１１Ｂに貼り付けられていてもよいし、磁性体シート７０の積層部７１Ａの外面に貼り付けられていてもよい。弾性部材９０の圧縮前の厚み（図１４に示す前後方向の厚み）は、第一シールド板２１の延出部分２２２と第１筐体１１の内壁１１Ｂとの間隔よりも長い。従って、弾性部材９０の弾性力により磁性体シート７０の積層部７１Ａと積層部７２Ａによる積層部分は、第一シールド板２１の延出部分２２２に押しつけられる。この状態で、図１０に示すように、第一シールド板２１の延出部分２２２と、第二シールド板３１との隙間２２３の一部は、積層部７１Ａと積層部７２Ａとが積層された磁性体シート７０が塞ぐ。また、図２に示すように、磁性体シート７０は、磁性体シート７０からＡＳＩＣ５７に向かう方向（即ち、後方向）において、ハーネス５３１Ａ、５３２Ａ、５４１Ａ、５４２Ａ、５４３Ａ、５４４Ａ、５５２Ａ、５５３Ａ、５５４Ａ、５５５Ａと重ならない位置に配置されている。
【００４３】
［９．磁性体シート７０の効果］
原稿読取装置１では、磁性体シート７０の積層部７１Ａと積層部７２Ａによる積層部分により、第一シールド板２１の延出部分２２２と、第二シールド板３１との隙間２２３の一部を塞いだ。従って、回路基板５のＡＳＩＣ５７等の制御ＩＣを駆動するクロック信号の高速化に伴い、例えば、１Ｇｈｚ付近の高周波帯域での電磁ノイズを生じる電磁波の外部への放出が懸念されていたが、磁性体シート７０により、電磁波の外部への放出が低減される。発明者は、隙間２２３を、磁性体シート７０で塞いだ場合と、隙間２２３を、銅テープで塞いだ場合と、隙間２２３に磁性体シート７０も銅テープも設けない場合の原稿読取装置１の外部への８７５．０ＭＨｚ及び１０００．０ＭＨｚの電磁波の放出をＥＭＩ（Ｅｌｅｃｔｒｏ  Ｍａｇｎｅｔｉｃ  Ｉｎｔｅｒｆｅｒｅｎｃｅ）レシーバを用いて電波暗室において測定した。測定は、原稿読取装置１をターンテーブルに乗せて、所定角度回転させ、また、原稿読取装置１の高さを所定高さに変更した。原稿読取装置１とＥＭＩレシーバのアンテナとの距離は１０ｍである。
【００４４】
以下の測定結果では、Ｆｒｅｑｕｅｎｃｙ欄が測定した周波数である。Ｒｅｓｕｌｔ欄の値は、ＥＭＩレシーバにより電磁波を測定した値である。Ｌｉｍｉｔ欄の値は、予め決められている電磁波の制限値である。Ｍａｒｇｉｎ欄の値は、Ｌｉｍｉｔ欄の値からＲｅｓｕｌｔ欄の値を引いた値である。即ち、電磁波の制限値までの余裕である。Ｍａｒｇｉｎ欄の値が大きいほど、低ノイズである。Ｈｅｉｇｈｔ欄の値は、原稿読取装置１の高さであり、Ａｎｇｌｅ欄の値は、ターンテーブルによる原稿読取装置１の正面からの回転角度である。また、測定は、水平偏波と垂直偏波を測定した。
【００４５】
隙間２２３を、磁性体シート７０で塞いだ場合の測定結果を表１に示す。
【表１】
0006508076.tif 000002
磁性体シート７０を使用した場合には、水平偏波の８７５．０ＭＨｚのＭａｒｇｉｎは、６．０ｄｂであり、１０００．０ＭＨｚのＭａｒｇｉｎは、７．８ｄｂである。垂直偏波の８７５．０ＭＨｚのＭａｒｇｉｎは、５．６ｄｂであり、１０００．０ＭＨｚのＭａｒｇｉｎは、５．６ｄｂである。
【００４６】
隙間２２３を、銅テープで塞いだ場合の測定結果を表２に示す。
【表２】
0006508076.tif 000003
銅テープを使用した場合には、水平偏波の８７５．０ＭＨｚのＭａｒｇｉｎは、５．１ｄｂであり、１０００．０ＭＨｚのＭａｒｇｉｎは、５．６ｄｂである。垂直偏波の８７５．０ＭＨｚのＭａｒｇｉｎは、６．９ｄｂであり、１０００．０ＭＨｚのＭａｒｇｉｎは、０．１ｄｂである。
【００４７】
隙間２２３に磁性体シート７０も銅テープも設けない場合の測定結果を表３に示す。
【表３】
0006508076.tif 000004
磁性体シート７０も銅テープも設けない場合には、水平偏波の８７５．０ＭＨｚのＭａｒｇｉｎは、２．９ｄｂであり、１０００．０ＭＨｚのＭａｒｇｉｎは、４．８ｄｂである。垂直偏波の８７５．０ＭＨｚのＭａｒｇｉｎは、０．２ｄｂであり、１０００．０ＭＨｚのＭａｒｇｉｎは、４．９ｄｂである。
【００４８】
上記の測定結果により、隙間２２３を磁性体シート７０で塞いだ場合が１０００．０ＭＨｚでの電磁波の放出は、一番小さいことが分かる。従って、磁性体シート７０が隙間２２３の一部を塞いだ場合が、銅テープを用いた場合よりも、何も設けない場合よりもノイズ低減に効果があることが判明した。また、８７５．０ＭＨｚでの電磁波の放出も、垂直偏波以外は、隙間２２３を磁性体シート７０で塞いだ場合が銅テープを用いた場合よりも、何も設けない場合よりもノイズ低減に効果があることが判明した。
【００４９】
［１０．原稿読取装置１の動作］
原稿読取装置１によって複数のシートが搬送され、画像が読み取られる場合の動作について簡単に説明する。使用者によって複数のシートが給紙トレイ１６の上面に載せられる。制御部２は、第１モータ７３、第２モータ７４を回転駆動する。第１モータ７３の回転駆動力は、軸４２に伝達されて、給紙ローラ４１を反時計回りに回転させる。第２モータ７４の回転駆動力は、軸部材９１Ａ、９２Ａに伝達されて、搬送ローラ９１、９２の各々を反時計回りに回転させる。複数のシートが給紙ローラ４１とリバースローラ４６との間に到達するまでは、リバースローラ４６は、給紙ローラ４１に連れ回りすることで、時計回りに回転する。複数のシートが給紙ローラ４１とリバースローラ４６との間に到達すると、第２モータ７４の回転駆動力は、リバースローラ４６を反時計回りに回転させる。
【００５０】
上記の状態で、搬送領域２０に沿って搬送方向の下流に移動する複数のシートのうち最も下側のシートに、給紙ローラ４１が第１方向から接触する。このとき、給紙ローラ４１及びリバースローラ４６の回転によって、複数のシートからシートが１枚分離される。シートは、搬送領域２０に沿って下流に移動する。
【００５１】
搬送ローラ９１は、搬送領域２０に沿って移動するシートに下側から接触し、従動ローラ９５との間にシートを挟んで、シートを下流に更に搬送する。シートは、搬送領域２０に沿って下流に移動する。搬送ローラ９１の下流に配置された第１読取部９３は、制御部２からの指示に応じて、シートの下面の画像を読み取る。搬送ローラ９１の下流に配置された第２読取部９４は、制御部２からの指示に応じて、シートの上面の画像を読み取る。第１読取部９３及び第２読取部９４の出力信号は画像データに変換され、制御部２に出力される。
【００５２】
搬送ローラ９２は、第１読取部９３及び第２読取部９４を通過したシートに下側から接触し、従動ローラ９６との間にシートを挟んで、シートを下流に更に搬送する。シートは、排紙口１０Ｂから筐体１０の外部に排出され、排紙トレイ１８に配置される。
【００５３】
原稿読取装置１が上記のように動作した場合でも、制御部２の第一シールド板２１の延出部分２２２と、第二シールド板３１との隙間２２３の一部は、積層部７１Ａと積層部７２Ａとが積層された磁性体シート７０が塞ぐので、１０００．０ＭＨｚでの電磁波のノイズの低減効果がある。また、磁性体シート７０は、第一シールド板２１の延出部分２２２には、押圧されているだけで、貼り付けられていないので、原稿読取装置１のメンテナンス時に、第一シールド板２１を容易に取り外すことができる。また、磁性体シート７０は、折り返されて、積層部７１Ａと積層部７２Ａとが積層された磁性体シート７０が塞ぐ。積層部７１Ａと積層部７２Ａとが張り合わされて積層されるので、磁性体シート７０の厚みが基材の二倍になり、電磁波の抑制効果が磁性体シート７０を積層しない場合よりも向上する。第二シールド板３１を磁性体シート７０の貼り付け部７１Ｂと貼り付け部７２Ｂとの間に挟むので、磁性体シート７０は、第二シールド板３１から外れにくい。
【００５４】
磁性体シート７０は、ＡＳＩＣ５７に最も近い回路基板５の前辺５５に対応する位置に配置されているので、ＡＳＩＣ５７により近い位置で、電磁波を抑制することができる。磁性体シート７０は、磁性体シート７０からＡＳＩＣ５７に向かう方向において、ハーネス５３１Ａ〜５５５Ａと重ならない位置に配置されているので、ハーネス５３１Ａ〜５５５Ａの設けられない位置に出来る隙間２２３を磁性体シート７０が塞ぐことが出来る。第１読取部９３に接続されるハーネス５３１Ａと、第２読取部９４に接続されるハーネス５４１Ａと、第１モータ７３からのハーネス５４３Ａと、第２モータ７４からのハーネス５４４Ａとが回路基板５の辺の内、磁性体シート７０と対向する前辺５５と異なる辺である右辺５３及び左辺５４に設けられている。従って、ハーネス５３１Ａ〜５５５Ａは、電磁波の抑制効果があるが、磁性体シート７０は、ハーネス５３１Ａ〜５５５Ａが設けられない辺である前辺５５側からの電磁波の放出を抑制することができる。
【００５５】
以上説明した原稿読取装置１において、第１モータ７３、第２モータ７４、給紙ローラ４１、リバースローラ４６、搬送ローラ９１、９２が、本発明の「搬送部」の一例である。ＣＩＳ９３Ａ、９４Ａが、本発明の「読取デバイス」の一例である。制御部２が、本発明の「制御部」の一例である。回路基板５が、本発明の「回路基板」の一例である。ＡＳＩＣ５７が、本発明の「制御ＩＣ」の一例である。第一シールド板２１が、本発明の「第一シールド板」の一例である。第二シールド板３１が、本発明の「第二シールド板」の一例である。磁性体シート７０が、本発明の「磁性体シート」の一例である。隙間２２３が、本発明の「隙間」の一例である。第１磁性体シート７１が、本発明の「第１磁性体シート」の一例である。第２磁性体シート７２が、本発明の「第２磁性体シート」の一例である。第１筐体１１が、本発明の「筐体」の一例である。内壁１１Ｂが、本発明の「内壁」の一例である。延出部分２２２が、本発明の「延出部分」の一例である。ハーネス５３１Ａと、ハーネス５４１Ａとが、本発明の「第一ハーネス」の一例である。ハーネス５４３Ａと、ハーネス５４４Ａとが、本発明の「第二ハーネス」の一例である。弾性部材９０が、本発明の「弾性部材」の一例である。制御部２が、本発明の「制御ユニット」の一例である。
【００５６】
本発明の原稿読取装置は、上記した実施形態に限定されるものではなく、本発明の要旨を逸脱しない範囲内において種々変更が加えられてもよい。
【００５７】
例えば、原稿読取装置の構成は適宜変更してよい。磁性体シート７０は、折り返して積層しなくても、切断された磁性体シートを複数枚貼り合わせてもよい。例えば、２枚を貼り合わせてもよい。また、磁性体シート７０は１枚で厚くてもよい。回路基板５には、ＡＳＩＣ５７の代わりに、ＣＰＵ、ＲＯＭ、ＲＡＭ等が設けられていてもよい。原稿読取装置は、シート状の原稿を搬送可能であればよい。第１モータ７３及び第２モータ７４は、ＤＣモータ等のステッピングモータ以外のモータでもよい。原稿読取装置が備えるモータの数は適宜変更されてよい。原稿読取装置１は、第１読取部９３及び第２読取部９４の何れかのみを備えてもよい。第１読取部９３及び第２読取部９４は、ＣＩＳ９３Ａ、９４Ａのみを備え、ＣＩＳ９３Ａ、９４Ａによって読み取られたアナログの画像をデジタルの画像データに変換するための回路を、制御部２等に別途備えていてもよい。
【符号の説明】
【００５８】
１  原稿読取装置
２  制御部
５  回路基板
１１  第１筐体
１１Ｂ  内壁
２１  第一シールド板
３１  第二シールド板
４１  給紙ローラ
４６  リバースローラ
５７  ＡＳＩＣ
７０  磁性体シート
７１  第１磁性体シート
７２  第２磁性体シート
７３  第１モータ
７４  第２モータ
９０  弾性部材
９１、９２  搬送ローラ
９３  第１読取部
９３Ａ  ＣＩＳ
９４  第２読取部
９４Ａ  ＣＩＳ
２２２  延出部分
２２３  隙間
５３１Ａ  ハーネス
５４１Ａ  ハーネス
５４３Ａ  ハーネス
５４４Ａ  ハーネス
【図１】
0006508076.tif 000005
【図２】
0006508076.tif 000006
【図３】
0006508076.tif 000007
【図４】
0006508076.tif 000008
【図５】
0006508076.tif 000009
【図６】
0006508076.tif 000010
【図７】
0006508076.tif 000011
【図８】
0006508076.tif 000012
【図９】
0006508076.tif 000013
【図１０】
0006508076.tif 000014
【図１１】
0006508076.tif 000015
【図１２】
0006508076.tif 000016
【図１３】
0006508076.tif 000017
【図１４】
0006508076.tif 000018
【図１５】
0006508076.tif 000019